(57)【特許請求の範囲】
【請求項１】
本体ケース（１）の上部に、本体ケース（１）に組み付けられる駆動シャーシ（２３）と、この駆動シャーシ（２３）上に装着される剃刃ユニット（３）とを一体的に組み合わせてユニット化した切断ヘッド（２）が組みつけられており、
駆動シャーシ（２３）は、下部シャーシ（２３Ｄ）と、この下部シャーシ（２３Ｄ）の上部に一体的に結合される上部シャーシ（２３Ｕ）とからなり、下部シャーシ（２３Ｄ）のシャーシ底壁（３３）の中央の開口（３４）に縦型のモータ（３５）が垂下状態に取り付けられ、モータ（３５）の上端の出力軸（３７）が開口（３４）より上方へ突出されており、上部シャーシ（２３Ｕ）には、相対向状に立設されたサイドフレーム（４５・４６）が設けられており、
剃刃ユニット（３）は、前記サイドフレーム（４５・４６）間に揺動軸心（Ｐ）を中心に揺動可能に枢支される基台（２４）と、この基台（２４）に装着される、網目状の外刃（２７）およびこれの内面を揺動軸心（Ｐ）と平行な軸（７５）まわりに摺接回転するシリンダ状の回転内刃（２６）と、前記外刃（２７）に隣接して平行に配された荒剃り用の固定くし刃（３１）およびこれの内面を直線往復摺動する可動くし刃（３０）とを備え、
駆動シャーシ（２３）に、前記サイドフレーム（４５・４６）のいずれか一方の内部を通ってモータ（３５）の回転を減速して前記回転内刃（２６）を駆動する第１の駆動伝達手段（６６）が備えられており、
第１の駆動伝達手段（６６）は、軸心を前記揺動軸心（Ｐ）と一致させてある最終伝動ギヤ（Ｇ１０）を有し、この最終伝動ギヤ（Ｇ１０）と前記回転内刃（２６）の軸（７５）に一体化した入力ギヤ（７８）とが噛み合い連動しており、
第１の駆動伝達手段（６６）は、上部シャーシ（２３Ｕ）と下部シャーシ（２３Ｄ）の間の内部空隙に組みつけられる横伝達系と、サイドフレーム（４５・４６）のいずれか一方の内部に組みつけられる縦伝達系とからなり、
横伝達系は、モータ（３５）の出力軸（３７）に設けられた第１伝動ギヤ（Ｇ１）、およびこの第１伝動ギヤ（Ｇ１）に噛み合い連動する複数個の伝動ギヤからなるギヤトレインで構成されており、該ギヤトレインを構成する伝動ギヤは、上下方向に伸びる回転軸まわりに回転可能に構成されており、
縦伝達系は、横伝達系の終段ギヤ（Ｇ５）と直交状に噛み合う伝動ギヤ（Ｇ６）および前記最終伝動ギヤ（Ｇ１０）を含むギヤトレインで構成されており、該ギヤトレインを構成する伝動ギヤは、上下方向と直交する水平方向に伸びる回転軸まわりに回転可能に構成されており、
剃刃ユニット（３）に、モータ（３５）の回転を直線往復運動に変えて前記可動くし刃（３０）に伝達する第２の駆動伝達手段（６８）が備えられており、
第２の駆動伝達手段（６８）は、基台（２４）の内部に内蔵される、モータ（３５）の出力軸（３７）の上方に固着した偏心ピン（６９）と、偏心ピン（６９）の回転を直線往復動に直接変えて前記可動くし刃（３０）に伝達する振動子（６２）とからなり、
振動子（６２）の下面には、剃刃ユニット（３）の揺動方向と平行な溝（１２０）が設けられており、この溝（１２０）に前記偏心ピン（６９）を係合させてあることを特徴とするロータリ式電気かみそり。
【請求項２】
本体ケース（１）の後面に、固定くし刃（１９１）と、可動くし刃（１９２）とを有するきわ剃りユニット（１２）が装備されており、
きわ剃りユニット（１２）とモータ（３５）の間に、モータ（３５）の回転を揺振運動に変えて可動くし刃（１９２）に伝達する第３の駆動伝達手段（１９８）が備えられている請求項１記載のロータリ式電気かみそり。
【発明の詳細な説明】
【０００１】
【発明の属する技術分野】
本発明は、ロータリ式刃部に往復動式刃部を並設して構成されたロータリ式電気かみそりに関する。
【０００２】
【従来の技術】
ロータリ式電気かみそりは、例えば、特開平６−３０４３４６号公報にみられるように周面に多数の螺旋切刃を備えたシリンダ状の回転内刃を、アーチ状に配備した外刃に対して摺接回転させるので、往復動式内刃のような駆動時の死点が無く、螺旋状切刃の走行による滑らかで均一な切れ味を常に外刃の切断作用域全体で発揮させることができ、また往復動式の電気かみそりに比べて駆動時に振動および駆動音が少ない利点がある。
【０００３】
【発明が解決しようとする課題】
近年、かかるロータリ式電気かみそりにおいて、ロータリ式の刃部に対して往復動式の刃部を近接配置してロータリ式と往復動式の両者の利点を兼ね合わせた電気かみそりについての考え方がある。特に、外刃の網目大きさを大きくするか、もしくは外刃自体をくし刃状とすることで、往復動式の刃部を荒剃り用とし、ロータリ式刃部を仕上げ剃りに供するようにすることが考えられる。
【０００４】
しかしながら、往復動式の刃部とロータリ式の刃部とを並設配置した場合、それぞれの動作形態が異なるため、各々の刃部を駆動するための駆動伝達系が近接して配されることになり、このため互いに干渉するおそれがある。例えば、往復動式の駆動伝達系である振動子の高速振動がロータリ式の駆動伝達系である伝達ギヤどうしの噛合状態に影響を与えやすくなり、また双方の駆動伝達系どうしが近接するため、それぞれを細かい部品で構成する必要が生じてこれらの組み付け性の低下を来し、さらに設計的自由度も低下し、刃部まわりが大型化して肌当てに支障を来すなど実用性に乏しくなる。
【０００５】
さらに、かかるロータリ式電気かみそりにおいて、荒剃りしながら仕上げ剃りを可能にするために、きわ剃り刃を本体ケースに対し上下方向にスライド操作自在に設け、上方へスライドさせることで主刃に近接させて、このきわ剃り刃で荒剃り、長毛剃り、くせ毛剃りをしながら主刃で仕上げ剃りする、というコンビネーション剃りを採用することも考えられる。
【０００６】
しかし、こうした場合、きわ剃り刃は主刃とは別体で、離れた位置に備えられているため、コンビネーション剃り時に主刃に近接するようスライドさせるとはいうものの、近接させるには限界があり、このため、きわ剃り刃でおおよそ切断された長毛やくせ毛が主刃で切断されるまでの間に、再び、元の姿勢や向きに復帰してしまい、主刃の外刃の毛導入孔にうまく導かれにくいことがあり、充分なコンビネーション剃りを期することができない。また、コンビネーション剃りの都度、きわ剃り刃を上方へスライド操作しなければならない、という煩わしさもある。
【０００７】
本発明の目的は、このような問題を解消するためになされたもので、ロータリ式刃部と往復動式刃部という異なる駆動形態の刃を並設するにあたり、互いに駆動伝達系が干渉し合うようなことがなく、設計的自由度も効き、しかも荒剃りしながら仕上げ剃りするという一連のカット作業を効果的にかつ簡易に行えるロータリ式電気かみそりを提供するにある。
【０００８】
【課題を解決するための手段】
本発明のロータリ式電気かみそりは、本体ケース１の上部に、本体ケース１に組み付けられる駆動シャーシ２３と、この駆動シャーシ２３上に装着される剃刃ユニット３とを一体的に組み合わせてユニット化した切断ヘッド２が組みつけられており、駆動シャーシ２３は、下部シャーシ２３Ｄと、この下部シャーシ２３Ｄの上部に一体的に結合される上部シャーシ２３Ｕとからなり、下部シャーシ２３Ｄのシャーシ底壁３３の中央の開口３４に縦型のモータ３５が垂下状態に取り付けられ、モータ３５の上端の出力軸３７が開口３４より上方へ突出されており、上部シャーシ２３Ｕには、相対向状に立設されたサイドフレーム４５・４６が設けられており、剃刃ユニット３は、前記サイドフレーム４５・４６間に揺動軸心Ｐを中心に揺動可能に枢支される基台２４と、この基台２４に装着される、網目状の外刃２７およびこれの内面を揺動軸心Ｐと平行な軸７５まわりに摺接回転するシリンダ状の回転内刃２６と、前記外刃２７に隣接して平行に配された荒剃り用の固定くし刃３１およびこれの内面を直線往復摺動する可動くし刃３０とを備え、駆動シャーシ２３に、前記サイドフレーム４５・４６のいずれか一方の内部を通ってモータ３５の回転を減速して前記回転内刃２６を駆動する第１の駆動伝達手段６６が備えられており、第１の駆動伝達手段６６は、軸心を前記揺動軸心Ｐと一致させてある最終伝動ギヤＧ１０を有し、この最終伝動ギヤＧ１０と前記回転内刃２６の軸７５に一体化した入力ギヤ７８とが噛み合い連動しており、第１の駆動伝達手段６６は、上部シャーシ２３Ｕと下部シャーシ２３Ｄの間の内部空隙に組みつけられる横伝達系と、サイドフレーム４５・４６のいずれか一方の内部に組みつけられる縦伝達系とからなり、横伝達系は、モータ３５の出力軸３７に設けられた第１伝動ギヤＧ１、およびこの第１伝動ギヤＧ１に噛み合い連動する複数個の伝動ギヤからなるギヤトレインで構成されており、該ギヤトレインを構成する伝動ギヤは、上下方向に伸びる回転軸まわりに回転可能に構成されており、縦伝達系は、横伝達系の終段ギヤＧ５と直交状に噛み合う伝動ギヤＧ６および前記最終伝動ギヤＧ１０を含むギヤトレインで構成されており、該ギヤトレインを構成する伝動ギヤは、上下方向と直交する水平方向に伸びる回転軸まわりに回転可能に構成されており、剃刃ユニット３に、モータ３５の回転を直線往復運動に変えて前記可動くし刃３０に伝達する第２の駆動伝達手段６８が備えられており、第２の駆動伝達手段６８は、基台２４の内部に内蔵される、モータ３５の出力軸３７の上方に固着した偏心ピン６９と、偏心ピン６９の回転を直線往復動に直接変えて前記可動くし刃３０に伝達する振動子６２とからなり、振動子６２の下面には、剃刃ユニット３の揺動方向と平行な溝１２０が設けられており、この溝１２０に前記偏心ピン（６９）を係合させてあることを特徴とする。
【０００９】
本体ケース１の後面に、固定くし刃１９１と、可動くし刃１９２とを有するきわ剃りユニット１２が装備されており、きわ剃りユニット１２とモータ３５の間に、モータ３５の回転を揺振運動に変えて可動くし刃１９２に伝達する第３の駆動伝達手段１９８が備えられている形態を採ることができる。
【００１２】
【作用】
外刃２７と回転内刃２６からなるロータリ式の刃部と、第２の外刃３１と往復内刃３０からなる往復動式の刃部とを、互いに平行に隣接配置することにより、両刃部の利点を兼ね備えた電気かみそりとすることができる。
【００１３】
互いに平行に隣接配置された回転内刃２６と往復内刃３０とは、それぞれ回転と往復直線運動という異なった駆動動作をするにもかかわらず、一つのモータ３５を共用し、この出力を分岐させて駆動させることができる。
その際、回転内刃２６の駆動伝達手段６６は駆動シャーシ２３に、往復内刃３０の駆動伝達手段６８は剃刃ユニット３にそれぞれ分けて配備してある。従って、回転内刃２６と往復内刃３０とが隣接配置されているにもかかわらず、双方の駆動伝達手段６６・６８は完全に分離、独立しており、互いに干渉するおそれがなく、各々が円滑に伝達作動する。すなわち双方の駆動伝達手段６６・６８は互いに異なる動作を伝達する構成であって、特に、往復直線運動を伝える第２の駆動伝達手段６８の高速振動が、正確に噛合回転する必要のあるギヤ伝達機構であるロータリ刃部側の第１の駆動伝達手段６６の噛合状態などに悪影響をおよぼすことが防止される。また、実際に双方の刃が配される剃刃ユニット３に、双方の駆動伝達手段６６・６８が集中して配備される場合に比べて、剃刃ユニット３を大型化する必要がなく、後述のごとく剃刃ユニット３を揺動させたり、また上下動させたりする場合にでも機構を簡素化でき、設計の自由度が効き、また組み立て性も良好となる。
【００１４】
回転内刃２６は駆動伝達手段６６を介して減速可能であるため、回転内刃２６と可動くし刃３０の速度に差を持たせることができ、回転トルクを重視される回転内刃２６はそれに適する最適な回転速度に、また回転数（振動数）を重視する可動くし刃３０はそれに適する最適な速度にそれぞれ設定することができる。
【００１５】
共通のモータ３５の出力軸３７から分岐して構成する回転内刃２６と往復内刃３０の各駆動伝達手段６６・６８は、回転内刃２６と往復内刃３０とにひげが一度に大量に導入される等して同時に過大な負荷が加わった場合でも、モータ３５側には負荷が時間差を持って分散的に伝達されるため、モータ３５への過負荷を軽減できる。
【００１６】
剃刃ユニット３は駆動シャーシ２３のサイドフレーム４５・４６間に揺動自在に備えると、顔の凹凸や顎下などにも剃刃ユニット３を追随させやすくて荒剃りしながら仕上げ剃りすることができる。
【００１７】
第２の外刃３１と往復内刃３０とをそれぞれ固定・可動くし刃とした場合は、荒剃り用の固定・可動くし刃３１・３０と、仕上げ剃り用の外刃２７・回転内刃２７とは、剃刃ユニット３上で互いに所定の隣接配置状態にあるよう一体的に組み合わされ、かかる隣接配置状態は常時一定不変であるため、ひげ、特に長毛（剃り残し毛）やくせ毛も、固定くし刃３１と可動くし刃３０で荒剃りされた後、直ぐに外刃２７に確実に導入されて回転内刃２６で仕上げ剃りされる。
【００１８】
【発明の実施の形態】
（全体的構成）
図１ないし図３に示すように、この電気かみそりは、本体ケース１の上部に切断ヘッド２を組み付け、この切断ヘッド２は剃刃ユニット３を有する。
【００１９】
（本体ケース）
図１ないし図３において、本体ケース１は、互いに突き合わされる前後ケース１Ｆ・１Ｂ、および前後ケース１Ｆ・１Ｂの左右の突き合わせ面間に形成される開口部４を塞ぐよう嵌合されるサイドカバー１Ｌ・１Ｒとからなる。この本体ケース１の内部には回路基板５、電池６等の電装部品が組み込まれるとともに、本体ケース１の下端部に充電用プラグ７が備えられる。前ケース１Ｆの前面には起動・停止用のスイッチノブ９が上下スライド操作可能に備えられ、かつ充電状態表示用のインジケータ１０が設けられるとともに、飾りパネル１１がそれらスイッチノブ９およびインジケータ１０を露出するように重合固定される。また、図６のように本体ケース１の後面の上部にはきわ剃りユニット１２とこれを揺動出退させる操作ノブ１３が装備される。
【００２０】
（ヘッドガイド筒部）
図７ないし図９に示すように、本体ケース１の上端開口部内には、切断ヘッド２を上下動自在に保持するヘッドガイド筒部１４が取り付けられる。ヘッドガイド筒部１４は、本体ケース１の上端開口部の内周に沿う形状の周壁１５と、中央に開口１６ａをもつ筒底壁１６とを有する有底筒状に形成し、筒底壁１６の前端左右に取付片１７を一体に形成する。他方、前ケース１Ｆの上端内面には前記取付片１７を止めネジ２０で一体的に結合するための左右のボス１９を突設する。
【００２１】
（切断ヘッド・剃刃ユニット）
図７および図２３に示すように、切断ヘッド２は、ヘッドガイド筒部１４に上下動自在に内嵌される駆動シャーシ２３と、この駆動シャーシ２３上に装着される剃刃ユニット３とを組み合わせてなる。剃刃ユニット３は、前記駆動シャーシ２３上に前後揺動自在に支持される基台２４と、この基台２４に着脱自在に装着される内刃ホルダ２５と、この内刃ホルダ２５に保持されるシリンダー形状の回転内刃２６と、これの外刃２７および外刃ホルダ２９と、往復内刃としての可動くし刃３０および第２の外刃としての固定くし刃３１とからなる。
【００２２】
（駆動シャーシ）
図１０に示すように、駆動シャーシ２３は、ヘッドガイド筒部１４に上下動自在に内嵌される下部シャーシ２３Ｄと、この下部シャーシ２３Ｄの上部に一体的に結合される上部シャーシ２３Ｕとからなる。下部シャーシ２３Ｄは、図１１に示すように、ヘッドガイド筒部１４に内嵌される周壁３２と、シャーシ底壁３３を有し、シャーシ底壁３３の中央の開口３４に縦型のモータ３５がビス３６で垂下状態に取り付けられ（図６参照）、モータ３５の上端の出力軸３７を開口３４より上方へ突出させる。
【００２３】
組み立てに際しては、例えば、予め、本体ケース１の上端にヘッドガイド筒部１４を取り付ける一方、駆動シャーシ２３と、基台２４、内刃ホルダ２５および外刃ホルダ２９等からなる剃刃ユニット３を互いに組み合わせて切断ヘッド２を組み立て、しかるのち、この切断ヘッド２を本体ケース１に組み付ける。
【００２４】
すなわち、図７および図８に示すようにヘッドガイド筒部１４の周壁１５の前面側を前ケース１Ｆの上端内面に、取付片１７とボス１９が合致するように密着状に重ね合わせ、止めネジ２０を取付片１７の穴１７ａからボス１９にねじ込むことにより、ヘッドガイド筒部１４と前ケース１Ｆとを一体的に結合する。次いで、前ケース１Ｆに後ケース１Ｂを突き合わせるとともに、後ケース１Ｂの上端内面をヘッドガイド筒部１４の周壁１５の後面側に密着状に重ね合わせて、前後ケース１Ｆ・１Ｂを一体的に結合する。その際、ヘッドガイド筒部１４は、これの周壁１５の上端が前後ケース１Ｆ・１Ｂの各上端縁より少し上方へ突出するように組み付けられる。
【００２５】
次いで、予め組み立てられた切断ヘッド２の下部シャーシ２３Ｄをヘッドガイド筒部１４にこれの上方から内嵌し、モータ３５をヘッドガイド筒部１４の筒底壁１６の開口１６ａより下方へ突出させる。その際、下部シャーシ２３Ｄは、図５に示すように、シャーシ底壁３３から下方へ突設した左右のフック状の抜止め爪３９を、ヘッドガイド筒部１４の筒底壁１６の開口１６ａに挿入して該開口１６ａの縁１６ｂに上方抜け止め状に係合させる。またシャーシ底壁１６の下面に設けたボス４０とヘッドガイド筒部１４の内底のバネ受け４１との間に押上げバネ部材４２を介在させる。これによりモータ３５を含む切断ヘッド２全体が押上げバネ部材４２により常時上方へ押上げ付勢され、所定ストロークだけ上下動自在に弾性支持される。
【００２６】
他の組み付け手順としては、図４０に示すように、切断ヘッド２の下部シャーシ２３Ｄにヘッドガイド筒部１４を外嵌し、次いで該ヘッドガイド筒部１４を前ケース１Ｆの上端内面に止めネジ２０で取り付け、最後に前ケース１Ｆに後ケース１Ｂを被せ付けて一体的に結合することも考えられる。
【００２７】
上記上部シャーシ２３Ｕは、図１０に示すように、上面に円弧凹み面４３を形成した底フレーム４４を有し、この底フレーム４４の左右端から左右一対のサイドフレーム４５・４６を相対向状に立設する。そして上部シャーシ２３Ｕは、底フレーム４４の下面から突設したボス（図示せず）を、下部シャーシ２３Ｄのシャーシ底壁３３の上面に設けたボス４９に嵌合し、上部シャーシ２３Ｕ側のボスと下部シャーシ２３Ｄ側のボス４９とをネジ結合することで、下部シャーシ２３Ｄにこれとの間に一定の空間を形成するよう一体的に結合される。図１２に示すように、そのサイドフレーム４５・４６間に基台２４が揺動軸心Ｐを中心に揺動可能に枢支される。
【００２８】
（基台）
図１２ないし図１５に示すように、基台２４は、上蓋板５２の嵌め込み装着によって閉塞される浅い箱状に形成され、その左右から山形のブラケット部５３・５４を立設する。左右のブラケット部５３・５４の各上端から中空状の支軸部５５を外方へ突設し、この両支軸部５５は前記駆動シャーシ２３のサイドフレーム４５・４６の各上端に開口した軸穴５６に挿通することで、基台２４が駆動シャーシ２３に前後揺動自在に枢支連結される。その際、支軸部５５の外周に上下一対の係合突起５７を設ける一方、軸穴５６の内周に前後一対の切欠５９を設けて、一旦基台２４を横向き姿勢にして支軸部５５の係合突起５７を軸穴５６の切欠５９に一致させた状態で通す。しかるのち、基台２４を９０度回転させることで、係合突起５７が軸穴５６に係合し、この係合により、特別な枢着用のネジ等を使用することなく、支軸部５５が軸穴５６から抜け出ないように簡単かつ確実に枢支連結される。基台２４の底は前記駆動シャーシ２３の円弧凹み面４３に対応して凸円弧面６１に形成される。これら基台２４の凸円弧面６１と駆動シャーシ２３の円弧凹み面４３との間には僅かな隙間が形成されて、基台２４の揺動抵抗の軽減を図っている。
基台２４の内部には、後述するように、往復動内刃３０の駆動系の振動子６２と外刃ホルダ２９の係合ロック機構６３（図１４参照）が組み込まれる。
【００２９】
（回転内刃駆動系）
図１０において、前記駆動シャーシ２３の各サイドフレーム４５・４６の外側にはキャップ６４・６５が嵌着固定される。左側のサイドフレーム４５とキャップ６４との間に空間を形成し、この空間の内部と、上部シャーシ２３Ｕと下部シャーシ２３Ｄ間の内部空間とにわたって、モータ３５の回転を減速して剃刃ユニット３の回転内刃２６に伝達するための第１の駆動伝達手段６６が装備される。
【００３０】
図５および図２１に、その駆動伝達手段６６を示す。この駆動伝達手段６６は、モータ３５の出力軸３７に固着された第１伝動ギヤＧ１、これに噛み合う第２伝動ギヤＧ２、この第２伝動ギヤＧ２に一体連設された第３伝動ギヤＧ３、この第３伝動ギヤＧ３に噛み合う第４伝動ギヤＧ４、第４伝動ギヤＧ４の上面に一体形成されたフェースギヤである第５伝動ギヤＧ５、第５伝動ギヤＧ５に直交状に噛み合う第６伝動ギヤＧ６、第６伝動ギヤＧ６に一体連設された第７伝動ギヤＧ７、第７伝動ギヤＧ７に噛み合う第８伝動ギヤＧ８、第８伝動ギヤＧ８に噛み合う第９伝動ギヤＧ９、第９伝動ギヤＧ９と同軸６７上に並列状に固着された最終伝動ギヤＧ１０とから構成される。最終伝動ギヤＧ１０と第９伝動ギヤＧ９とを両端に固着した軸６７は剃刃ユニット３の揺動軸心Ｐとなるが、これは基台５１の支軸部５５の中心穴に通される。モータ３５は回転内刃２６の駆動源のみならず、可動くし刃３０およびきわ剃りユニット１２の駆動源にも共用する。その際、モータ３５の出力軸３７上の第１伝動ギヤＧ１より上方に偏心ピン６９を固着し、この出力を後述するように第２の駆動伝達手段６８を介して可動くし刃３０に伝達する。またモータ３５の出力軸３７上の第１伝動ギヤＧ１より下方に偏心カム７０を固着し、この偏心カム７０の出力を後述するように第３の駆動伝達手段１９８を介してきわ剃りユニット１２に伝達する。
【００３１】
（剃刃ユニット）
図２３に示すように、剃刃ユニット３は、揺動自在な前記基台２４と、仕上げ剃り用の前後一対のシリンダ形状の回転内刃２６・２６を前記揺動軸心Ｐと平行に並列軸支した内刃ホルダ２５と、網目状に形成された前後２枚の外刃２７・２７をアーチ状に張設した外刃ホルダ２９と、前後の外刃２７・２７間に平行に隣接状態に配置される、荒剃り用の可動くし刃３０および固定くし刃３１とを備える。このように前後の外刃２７・２７および回転内刃２６・２６と、この中間に隣接配置される固定くし刃３１および可動くし刃３０とで三枚刃構造にすることにより、早剃り、深剃りをすることができ、特にくせ毛や長毛（剃り残し毛）も固定くし刃３１と可動くし刃３０とで荒剃りしながら外刃２７および回転内刃２６で仕上げ剃りすることができる。その際、剃刃ユニット３が最終伝動ギヤＧ１０の軸心Ｐを中心に首振り揺動することで、顔の凹凸や顎下などの剃りにくい部分にも剃刃ユニット３を容易に追従させることができる。
【００３２】
（内刃ホルダ）
図１８および図１９に示すように、内刃ホルダ２５は、平坦な毛くず受け面７１を形成するホルダ底壁７２の左右端から側壁７３・７４を立設しており、この側壁７３・７４間に前記回転内刃２６・２６が軸受Ｍ・Ｍを介して平行に軸支され、かつ回転内刃２６・２６と毛くず受け面７１との間には前後から清掃ブラシを挿入できる程度の空間が形成される。また、各回転内刃２６の左端に軸７５を介して一体化した入力ギヤ７８が、左側の側壁７３の外側に位置するよう配備される。各側壁７３・７４の外側にはカバー体７６・７７が嵌合連結され、左側のカバー体７６には前記入力ギヤ７８・７８の対向する一部を露出させる開口７９が形成される。このように入力ギヤ７８・７８の対向する一部を露出させることで、この内刃ホルダ２５の基台２４への組み付けに伴って、各入力ギヤ７８・７８の露出部分を前記最終伝動ギヤＧ１０にそれぞれ容易に噛み合わすことができる。
【００３３】
図１６および図１９において、内刃ホルダ２５の右側壁７４の外面には、基台２４の右側のブラケット部５４をガイド部としてこれに上方より係合できる前後一対のＬ形の係合リブ９０・９１が形成される。さらに、左右側壁７３・７４に嵌合される上記カバー体７６・７７の開口７９・７９の内壁面も、基台２４への内刃ホルダ２５の装着時のガイド部として、左右ブラケット部５３・５４の側面に沿って嵌まり込む。右側のブラケット部５４に係合リブ９０・９１を係合させるとともに、左右のブラケット部５３・５４の側面にカバー体７６・７７の開口７９・７９を嵌合させることにより、内刃ホルダ２５が基台２４に対して位置決めされた状態、つまり各回転内刃２６の軸心が最終伝動ギヤＧ１０の軸心である揺動軸心Ｐから一定距離に位置する状態に組み付けられる。
【００３４】
図１９および図２０に示すように、内刃ホルダ２５の左右側壁７３・７４の各外面には、前後一対の弾性を有する係合アーム９２が垂下状に形成され、この係合アーム９２の下端にフック部９２ａが設けられる。図１６および図２２に示すように、この内刃ホルダ２５を基台２４にこれの上方から押し込み操作すると、係合アーム９２のフック部９２ａが弾性変形を介して基台２４の左右側壁５３・５４の各内面に設けた凹部９３に係脱自在に係合する。かかる係合状態は、内刃ホルダ２５をつかんで上方へ強く引っ張る操作力で、係合アーム９２が弾性変形を介してフック部９２ａを凹部９３から抜け出す程度に設定してある。従って、回転内刃２６の交換に際し内刃ホルダ２５を容易に外すことができる。
【００３５】
（外刃ホルダ）
図２６および図２７に示すように、外刃ホルダ２９は、前後壁部９４・９５と左右側壁９６・９７とを備えた中抜き形状に形成され、左右側壁９６・９７はそれぞれ内外二重壁９６ａ・９６ｂ・９７ａ・９７ｂに形成される。各内壁９６ａ・９７ａには前後一対ずつの第１切欠部９９を形成するが、この第１切欠部９９は、外刃ホルダ２９を内刃ホルダ２５および基台２４にこれの上方から嵌め込み装着する際に、内壁９６ａ・９７ａが各回転内刃２６の左右両端の軸７５と接当干渉するのを避けるために設けられる。各外壁９６ｂ・９７ｂには、前記外刃ホルダ２９の嵌め込み装着に際し基台２４のブラケット部５３・５４に嵌合する第２切欠部１００が形成される。
【００３６】
外刃ホルダ２９の前後壁部９４・９５の各内面には、図２５に示す外刃張設用の前後のエンドピース１０１・１０２をかしめ溶着するためのピン１０３が設けられる。左右側壁９６・９７における各内壁９６ａ・９７ａの内面の前後中間部には、外刃張設用の中央エンドピース１０４を左右から係合支持する縦長溝１０５が形成される。
各エンドピース１０１・１０２・１０４はプラスチック成形されたものであり、図２７および図３２に示すように、各外刃２７の内刃回転方向の上手側の一端部は、中央エンドピース１０４および前エンドピース１０１からそれぞれ突設した固定ピン１０４ａ・１０１ａにかしめ溶着することで固定される。また、各外刃２７の内刃回転方向の下手側の他端部は、後エンドピース１０２および中央エンドピース１０４に上下方向に弾性変位自在に一体形成した弾性腕１０２ｂ・１０４ｂから突出する可動ピン１０２ｃ・１０４ｃに補助バネ２０５を介してかしめ溶着することで引っ張り状態に取り付けられる。
【００３７】
このように各外刃２７の内刃回転方向上手側の一端部を固定し、内刃回転方向下手側の他端部を引っ張っておくと、各外刃２７が回転内刃２６との摺接抵抗を受けて内刃回転方向の下手側に向けて引っ張られ、その回転方向の下手側において外刃２７の弛みが発生しがちとなるのをよく抑えて、常に外刃２７の回転内刃２６との密着性を高めることができ、切れ味を向上できる。なお外刃ホルダ２９の後壁部９５の外面には後側の外刃２７にひげを起毛しながら導入するためのコーム２０４が形成される。
【００３８】
（固定・可動くし刃）
前後の外刃２７・２７間の中央エンドピース１０４の上には、可動くし刃３０および固定くし刃３１が組み付けられる。これらくし刃３０・３１は図２８ないし図３０に示す。可動くし刃３０は断面コの字形状に形成されて前後刃板１０６・１０７の連結上端部にくし状刃１０９とスリット１０８とを左右方向に交互に列設してある。この可動くし刃３０の前後刃板１０６・１０７間の中央部には、板バネなどのバネ部材１１０を上端に保持し、下端に二股部１１１ａを有する駆動ピース１１１がピン結合される。他方、固定くし刃３１は、可動くし刃３０に対応させて、断面コの字形状に形成されて前後刃板１１２・１１３の連結上端部の前後二列にくし状刃１１４とスリット１１８とを左右方向に交互に列設してある。この固定くし刃３１の前後刃板１１２・１１３間に、可動くし刃３０をバネ部材１１０および駆動ピース１１１ごと嵌め込み、次いで固定くし刃３１の前後刃板１１２・１１３間の左右に、バネ部材１１０の左右の自由端を受け止める外刃ピース１１５をピン結合する。そのバネ部材１１０のスプリング作用で可動くし刃３０のくし状刃１０９が固定くし刃３１のくし状刃１１４の内面に密着する。
【００３９】
このように、予め一体的に組み合わせた可動くし刃３０と固定くし刃３１とは、図２６に示すように、固定くし刃３１の左右端から突出する外刃ピース１１５の突起１１５ａを、外刃ホルダ２９の左右の内壁９６ａ・９７ａの内面の前記縦長溝１０５の上方に設けた縦長溝１１６に上下動可能に係合支持することで、中央エンドピース１０４上に組み付けられる。その際、左右の外刃ピース１１５と中央エンドピース１０４との間にバネ部材１１７を介在させ、このバネ部材１１７のスプリング作用で常時可動くし刃３０が固定くし刃３１ごと押し上げ付勢される。これにより固定くし刃３１が肌に優しく追従する。
【００４０】
（往復内刃駆動系）
次に、図５および図１４に基づき可動くし刃３０を駆動する第２の駆動伝達手段６８について説明する。これは基台２４の内部に、モータ３５の出力軸３７の偏心ピン６９の回転を可動くし刃３０の左右往復動に変換伝達するための振動子６２を内蔵する。その振動子６２はこれ全体がプラスチック成形品であり、下面に溝１２０を前後方向に形成した振動子本体１２１と、振動子本体１２１の上面中央から上方へ突設した駆動軸１２２、および振動子本体１２１の左右端に一体に形成した薄肉部１２３とを有してなる。そして振動子６２は左右の薄肉部１２３の端部１２３ａに孔１２３ｂを設け、この孔１２３ｂを基台２４の内面に突設したピン２４１に圧入嵌合する。その際、振動子６２の駆動軸１２２は、基台２４を閉塞するための上蓋板５２の中央の開口５２ａに通したのち、更に内刃ホルダ２５のホルダ底壁７２の中央の開口７２ａ内に通してから上方へ突出させる。この駆動軸１２２の突出上端部は、図６に示すごとく中央エンドピース１０４に設けた切欠１０４ａに通したうえで、可動くし刃３０の駆動ピース１１１の二股部１１１ａに係合させる。振動子本体１２１の下面の溝１２０には前記偏心ピン６９を係合させる。上蓋板５２の中央の開口５２ａと駆動軸１２２との間の間隙は、可撓性の毛止めカバー１２４で塞がれる。
【００４１】
しかるときは、モータ３５の駆動により、振動子６２が偏心ピン６９との係合を介して左右に直線往復動し、可動くし刃３０が固定くし刃３１の内面を左右方向に摺接運動する。このように可動くし刃３０の駆動伝達機構６８は、振動子６２を偏心ピン６９により直接に駆動させるが、これに対し前記回転内刃２６は駆動伝達手段６６を介して任意に減速可能である。従って、共通のモータ３５を駆動源とする場合も可動くし刃３０と回転内刃２６とはそれぞれ最適な速度で駆動させることができる。例えば、可動くし刃３０は回転数（振動数）を重要視する関係上７０００〜８０００r.p.m に、回転内刃２６は回転トルクを重要視するうえでそれよりも遅く、３０００〜４０００r.p.m に設定する。
【００４２】
（外刃ホルダの係合ロック機構）
前記外刃ホルダ２９の係合ロック機構６３の構成が図１４および図３３に示される。
基台２４の内部に、取外板１２５が前記振動子６２の下方に位置するよう組み付けられる。取外板１２５はこれ全体がプラスチック成形品であって、前後一対の係止爪１２６を有する左右側板部１２７・１２９と、この左右側板部１２７・１２９どうしを一体に連結する枠板部１３０とを有する。右側板部１２９の外面における前後の係止爪１２６・１２６間には押圧突起１３１を突設する。枠板部１３０は、前記振動子６２の下面中央凸部６２ａとの干渉を避けるための透孔１３２を有する枠状に形成されて、前後枠部１３３・１３４と左右枠部１３５・１３６とを有する。右側板部１２９と剛体的に結合する右枠部１３６は前後幅広の厚板状に形成される。左側板部１２７と一体に連続する左枠部１３５には、前後枠部１３３・１３４に薄肉部１３７を介して連接される前後一対の彎曲部１３９ａ・１３９ｂを有する二山形状部１３９が形成される。その彎曲部１３９ａ・１３９ｂ間の中間部と左側板部１２７の前後方向中央部とは棒状部１４０で連接する。彎曲部１３９ａ・１３９ｂの棒状部１４０との連接部１３９ｃ・１３９ｄも薄肉状に形成する。棒状部１４０および右枠部１３６の各下面にバネ装着溝１４４を凹設する。
【００４３】
この取外板１２５は基台２４の内部に左右方向にスライド自在に組み付けられが、その際、基台２４の左右ブラケット部５３・５４の各根元寄り部の前後に設けた開口１４１に係止爪１２６を通してこの爪先端を外部へ突出させ、かつ押圧突起１３１を右ブラケット部５４の根元部の前後中央部に設けた開口１４２に通すとともに、基台２４の内部左側に突設した前後のリブ１４３・１４３に、二山形状部１３９の彎曲部１３９ａ・１３９ｂを当接させる。棒状部１４０および右枠部１３６の各下面に設けたバネ装着溝１４４と、基台２４の内底面の左右から突設したバネ受け突起１４５との間に、復帰バネ部材１４６を介在させる。この左右一対の復帰バネ材１４６により常に取外板１２５が左右の係止爪１２６を各開口１４１から突出するよう押圧付勢される。
【００４４】
図２３に示すように、基台２４の開口１４１から突出する各係止爪１２６の突出端は、外刃ホルダ２９の左右の外壁９６ｂ・９７ｂの下部内面に形成された係合凹部１４７に係合し、この係合により外刃ホルダ２９が基台２４に対して所定位置に装着固定される。
いま、押圧突起１３１を基台２４の内方（左方向）へ押圧操作すると、取外板１２５は基台２４の前後壁部２４２・２４３の案内下で左方向へ摺動し、押圧突起１３１の両側の係止爪１２６が基台２４の内方へ退入すると同時に、前後枠部１３３・１３４に押されて、二山形状部１３９の彎曲部１３９ａ・１３９ｂがリブ１４３に押し付けられながら薄肉部１３７および薄肉状の連接部１３９ｃ・１３９ｄで弾性変形し（図３３の二点鎖線状態）、この弾性変形に伴い棒状部１４０が左側板部１２７および係止爪１２６ごと基台２４の内方へ引き込まれる。この結果外刃ホルダ２９の係合ロックが解除される。
【００４５】
上記取外板１２５の押圧突起１３１を外部操作するロック解除ボタン１４９は、図５および図１２に示すように、キャップ６５および右側のサイドフレーム４６に設けた透孔１５０・１５１に挿入されるとともに、このロック解除ボタン１４９の内端が押圧突起１３１に対向して配備される。従って、ロック解除ボタン１４９を押し込み操作することで、取外板１２５が上記のように復帰バネ部材１４６に抗してロック解除方向に押圧変位する。また、外刃ホルダ２９を装着する場合には、単に外刃ホルダ２９を基台２４に上方から押し込み操作するだけで、係合ロック機構６３が自動的にロック作動する。
【００４６】
（安全スイッチ機構）
図３４ないし図３７に、外刃ホルダ２９を取り外すと起動・停止用のスイッチノブ９を停止位置（スイッチオフ位置）に機械的にロックして不測な内刃２６の回転を阻止できるという、安全スイッチ機構を示す。この安全スイッチ機構は、スイッチノブ９と外刃ホルダ２９の右側壁９７との間に、第１ピース１５５と、第２ピース１５９および第３ピース１６０を組み込む。
図８および図３４に示すように、スイッチノブ９は前ケース１Ｆの内面沿いに配される節度板１５７と一体的に結合し、この節度板１５７には内面に導電性板バネを備えた作動片１５８および一対の弾性アーム２２０を備える。スイッチノブ９を停止位置（スイッチオフ位置）と起動位置（スイッチオン位置）との間で上下動させるに伴い、節度板１５７の作動片１５８が回路基板５上の駆動回路の端子間を開閉するとともに、弾性アーム２２０が前ケース１Ｆの内面側に設けた節度突起２２１に係脱し、この係合作用でスイッチノブ９がオフ位置またはオン位置に停止保持される。
【００４７】
第１ピース１５５は、これの上端にホルダ受部１５５ａを、下端に基台２４の揺動軸心Ｐを中心にして描かれる凸円弧状の押さえ部１５５ｂをそれぞれ有するとともに、内面に抜止め爪１５５ｃを突設する。この第１ピース１５５は抜止め爪１５５ｃを、図１６および図３４に示すごとく基台２４のブラケット部５４の外面に設けた縦長のスリット２２２に、上下スライド自在に係合することで、ブラケット部５４の外面上を昇降動自在にかつ押上バネ部材１５６で常時押上げ付勢する状態に取り付けられる。なお第１ピース１５５の上下方向中間部には、基台２４の揺動軸心Ｐを中心にして描かれる円弧状の孔２２３を設け、この孔２２３に前記ロック解除ボタン１４９の軸部を通して該ボタン１４９との干渉を避けている。更に第１ピース１５５には前記孔２２３の上部にも縦長の孔２０６を設け、この孔２０６に後述するピース１７５を通して該ピース１７５との干渉を避けている。
【００４８】
第１ピース１５５の押さえ部１５５ｂと、前記節度板１５７の上端に設けた被規制部１５７ａとの間に、第２ピース１５９と第３ピース１６０が組み込まれる。
第２ピース１５９はプレート１６１を有し、このプレート１６１の上面の左右方向一端に受けピン１６２を上向きに突設し、プレート１６１の下面の左右両端に２本のスライドピン１６３・１６４を下向きに突設する。この第２ピース１５９は、受けピン１６２が上部シャーシ２３Ｕの底シャーシ４４に開けた孔１５２を貫通して第１ピース１５５の押さえ部１５５ｂの下方に位置するように、スライドピン１６３・１６４を下部シャーシ２３Ｄのシャーシ底壁３３に設けたガイド孔２２４・２２４に挿入する。各ピン１６３・１６４に外嵌装着した押上バネ部材１６５はプレート１６１とシャーシ底壁３３間に介在させる。これで第２ピース１５９は下部シャーシ２３Ｄ上に上下方向に平行移動自在にかつ押上バネ部材１６５で常に上動付勢するよう取り付けられる。
【００４９】
第３ピース１６０は揺動軸部１６６にピース受部１６７と作用部１６８とを互いに直交するよう備える。そして第３ピース１６０は、揺動軸部１６６の両端を下部シャーシ２３Ｄのシャーシ底壁３３に設けた軸受１６９・１６９に前後揺動自在に支持し、揺動軸部１６６に外嵌装着したバネ部材１７０で常にピース受部１６７の先端が第２ピース１５９のプレート１６１の下面側に当接するとともに、作用部１６８の先端が被規制部１５７ａの真上のロック位置に位置するよう揺動付勢する。
【００５０】
しかるときは、外刃ホルダ２９を装着すると、この右側壁９７の外壁９７ｂの第２切欠部１００に設けた押さえ部１００ａが、第１ピース１５５のホルダ受部１５５ａに接当押圧し、この接当押圧作用で第１ピース１５５を押上バネ部材１５６の弾力に抗して押し下げる。この第１ピース１５５の下降に伴い押さえ部１５５ｂが受けピン１６２を押圧することで、第２ピース１５９が水平姿勢のまま押上バネ部材１６５に抗し押し下げられて第３ピース１６０のピース受部１６７を押し下げる。これにより第３ピース１６０が揺動軸部１６６まわりに揺動して作用部１６３を節度板１５７の被規制部１５７ａの上方から退いてアンロック位置へ移動する。従って、スイッチノブ９をオン位置に上方スライド操作可能にする。つまり、外刃ホルダ２９を装着した時はモータ３５を起動することができる。その際、第１ピース１５５の押さえ部１５５ｂは揺動軸心Ｐを中心とする凸円弧状に形成してあるので、剃刃ユニット３がいずれの揺動角位置にあるときも、常に第１ピース１５９は第２ピース１５９の受けピン１６２を押しつづけ、スイッチノブ９のスライド操作を自由自在とする。
【００５１】
外刃ホルダ２９を取り外すと、第１ピース１５５が押上バネ部材１５６の弾性復帰力で自動的に上昇するに伴い第２ピース１５９が押上バネ部材１６５の弾性復帰力で自動上昇する。同時に第３ピース１６０がバネ部材１７０の弾性復帰力で前記と反対方向に揺動し、この揺動により作用部１６８が被規制部１５７ａの真上のロック位置に復帰する。従って、このときはスイッチノブ９をオン位置へ上方スライド操作することができないため、モータ３５を起動不能にし、外刃ホルダ２９を外して回転型の内刃２６を清掃したり、回転型の内刃２６を内刃ホルダ２５ごと交換するときも安全である。
【００５２】
（中立戻し機構）
切断ヘッド２には、不使用時にこれを常時中立位置に戻す方向に付勢する機構を備える。この機構は、図１２および図３８に示されるように、駆動シャーシ２３のサイドフレーム４６の外面の前記軸穴５６まわりに設けたボス１７１に、ねじりコイル形の戻しバネ１７２のコイル部１７２ａを外嵌装着し、該コイル部１７２ａの両端から延出する二本の足部１７２ｂを、前記ボス１７１の下方に設けた一対のピン１７３・１７３間に通して該ピン１７３の下方に開口した円弧孔１７４に臨ませる。他方、基台２４のブラケット部５４の外面にピン１７５を取り付け、このピン１７５を円弧孔１７４に入れ、このピン１７５の溝１７５ａに前記戻しバネ１７２の足部１７２ｂの下端を係合させる。これにより剃刃ユニット３は、肌圧を受けることで、戻しバネ１７２の弾力に抗して前後方向に揺動するが、肌圧から解除されると戻しバネ１７２の弾力により中立位置に復位する。特に、肌の押当てにより剃刃ユニット３が前後揺動した場合には、上記戻しバネ１７２による弾性復元力が剃刃ユニット３に作用するため、剃刃ユニット３は常に肌に対して密着する方向に付勢される。
【００５３】
（ヘッドロック機構）
鼻の下などを剃る場合は、剃刃ユニット３は揺動しないように固定している方が使いやすいため、剃刃ユニット３を固定して使用するためのヘッドロック機構が装備される。
このヘッドロック機構は、前記中立戻し機構と相まって成り立つもので、本体ケース１の右側にヘッドロックピン１７６を上下にスライド自在に備え、このヘッドロックピン１７６を、中立位置にある基台２４の下面に設けた切欠１７７に係合させることで、剃刃ユニット３が中立位置に保持される。
【００５４】
（毛くず侵入防止機構）
外刃２７や固定くし刃３１から毛くずが外部へ飛散する場合、この毛くずが本体ケース１内に侵入するおそれがあるため、これをより完全に防止する毛くず侵入防止機構が備えられる。この機構は、図６に示すごとく切断ヘッド２の前面下部、具体的には上部シャーシ２３Ｕの正面上縁に沿って形成した段部２３０にエプロン１７９が、その上端部内面を前記段部２３０上に沿わせるように取り付けられるとともに、これの下端がヘッドガイド筒部１４の周壁１５の前面を覆うよう垂下状に配置される。これにより外刃２７や固定くし刃から外部へ飛散する毛くずが、ヘッドガイド筒部１４と駆動シャーシ２３とのすり合わせ面間に侵入するのを阻止する。また、図５に示すように切断ヘッド２の左右に取り付けたキャップ６４・６５は、これの各下端が本体ケース１より上方へ突出するヘッドガイド筒部１４の周壁１５の外面を覆うまで延設させることで、当該箇所からも前記毛くずがヘッドガイド筒部１４と駆動シャーシ２３とのすり合わせ面間に侵入するのを防止する。なお、エプロン１７９は商品名などを表示する銘板に利用することもできる。
【００５５】
（きわ剃りユニット）
図６および図３９において、きわ剃りユニット１２はきわ剃りホルダ１９０に固定した固定くし刃１９１と、この固定くし刃１９１の上を往復摺動する可動くし刃１９２からなり、かつモータ出力を受け継いで可動くし刃１９２に伝動する係合子１９３を可動くし刃１９１に設けている。きわ剃りユニット１２はその刃先を下向きにして後ケース１Ｂの外面に沿う収納姿勢（図６の実線状態）と、その刃先を後方へ突出させる使用姿勢（図６の二点鎖線状態）とにわたって支軸１９４まわりに回動自在に備えられる。その姿勢切換え操作は、前述したように後ケース１Ｂの外面に上下スライド自在に備えた操作ノブ１３によって行われる。
【００５６】
図６に示すように、操作ノブ１３は、後ケース１Ｂの内面上に沿って上下スライド自在に装着したきわ剃りレバー１９７と一体的に結合する。きわ剃りレバー１９７はこれの上端に出退操作アーム１９９を有し、該アーム１９９の上端はきわ剃りホルダ１９０に係合する。いま、操作ノブ１３を上方へスライドさせると、きわ剃りレバー１９７も上動し、きわ剃りユニット１２が出退操作アーム１９９によって突き上げられて突出姿勢に切り換えられる。操作ノブ１３を下方へスライドさせると、きわ剃りレバー１９７も下動し、きわ剃りユニット１２が出退操作アーム１９９で引き下げられて収納姿勢に切り換えられる。
【００５７】
きわ剃りユニット１２とモータ３５の間には、モータ３５の回転を揺振運動に変えて可動くし刃１９２に伝達するための第３の駆動伝達手段１９８が設けられる。この手段は、図６および図３９に示すように、先端に二股部２００を、また中間に前後方向に長い透孔２０１をそれぞれ有する揺動アーム２０２を有する。この揺動アーム２０２の基端部は下部シャーシ２３Ｄ上に軸２０３で水平揺動自在に支持するとともに、透孔２０１内にモータ３５の出力軸３７に固着した偏心カム７０を嵌合させる。きわ剃りユニット１２が収納姿勢の状態では係合子１９３が揺動アーム２０２の二股部２００との係合を解除する。きわ剃りユニット１２が突出姿勢に切り換えられると、係合子１９３が揺動アーム２０２の二股部２００に係合し、モータ３５の回転が揺振運動に変えられて可動くし刃１９２に伝達される。
【００５８】
図６ないし図８、図１０および図４０において、上記きわ剃りユニット１２およびこれの駆動伝達手段１９８の組み付け要領について説明する。後ケース１Ｂに予めきわ剃りユニット１２、きわ剃りレバー１９７、係合子１９３などのきわ剃り部品が組み込まれ、切断ヘッド２が組み付けられた状態下で、揺動アーム２０２が、ヘッドガイド筒部１４の後面に形成された開口部１５ａに通され、さらに切断ヘッド２側の下部シャーシ２３Ｄおよび上部シャーシ２３Ｕの各後壁に形成した切欠３２ａ・２３ａ（図３７参照）に通されることにより、きわ剃りユニット１２の係合子１９３と対向配備される。
【００６１】
【発明の効果】
本発明の電気かみそりによれば、外刃２７と回転内刃２６からなるロータリ式の刃部と、第２の外刃３１と往復内刃３０からなる往復動式の刃部とを、互いに平行に隣接配置するので、両刃部の利点を兼ね備えた電気かみそりを得ることができる。
【００６２】
回転内刃２６と往復内刃３０を一つのモータ３５を共用して駆動できるばかりか、回転内刃２６の駆動伝達手段６６は駆動シャーシ２３に、往復内刃３０の駆動伝達手段６８は剃刃ユニット３にそれぞれ分けて配備してある。従って、回転内刃２６と往復内刃３０とが隣接配置されているにもかかわらず、双方の駆動伝達手段６６・６８が互いに干渉するおそれがなく、各々が円滑に伝達作動するとともに、実際に回転内刃２６と往復内刃３０の双方の刃が配される剃刃ユニット３に双方の駆動伝達手段６６・６８が集中して配備されるものに比べて、剃刃ユニット３を小型化でき、また設計の自由度が効き、組み立ても合理的に行える。
【００６３】
また、このように回転内刃２６と往復内刃３０を一つのモータ３５を共用して駆動するにもかかわらず、回転内刃２６の回転速度と、往復内刃３０の速度とに任意に差を持たせることができて各々を適切な速度に駆動させることができる。さらに、回転内刃２６と往復内刃３０とにひげが一度に大量に導入される等して同時に過大な負荷が加わった場合でも、モータ３５側には時間差を持って負荷が伝達されるため、モータ３５への過負荷を軽減でき、耐久性の向上が図れる。
【００６４】
回転内刃２６の駆動伝達手段６６は、直接ひげ剃りに供される剃刃ユニット３ではなく、駆動シャーシ２３側に配されるので、回転内刃２６の駆動伝達手段６６への毛くず侵入防止対策を簡易にすることができる。
【００６５】
剃刃ユニット３と駆動シャーシ２３とは一体的に組み合わせてユニット化した切断ヘッド２を構成し、この切断ヘッド２を本体ケース１の上部に組み付けるので、組み付け作業性の合理化を図ることができる。
【００６６】
剃刃ユニット３は駆動シャーシ２３のサイドフレーム４５・４６間に揺動自在に備えるので、顔の凹凸や顎下などにも剃刃ユニット３を追随させやすくて荒剃りしながら仕上げ剃りすることができる。
【００６７】
第２の外刃と往復内刃とをそれぞれ固定・可動くし刃としたうえで、荒剃り用の固定くし刃３１および可動くし刃３０と、仕上げ剃り用の外刃２７および回転内刃２６とは常に所定の隣接配置状態にあるよう一体的に組み合わせてユニット化してある。従って、長毛やくせ毛も固定くし刃３１と可動くし刃３０で荒剃りされた後は直ぐに外刃２７に確実に導入されて回転内刃２６で仕上げ剃りされることになり、荒剃りと仕上げ剃りの一連したひげ剃りが効果的に行える。また、従来のきわ剃り刃とのコンビネーションで行うがごとき煩わしさがなくて簡易に荒剃り・仕上げ剃りが行え、操作性にも優れる。
【図面の簡単な説明】
【図１】本発明に係る電気かみそりの全体正面図である。
【図２】全体側面図である。
【図３】全体の分解斜視図である。
【図４】切断ヘッド部の縦断正面図である。
【図５】外刃ホルダを取り外した状態で示す切断ヘッド部の縦断正面図である。
【図６】切断ヘッド部の縦断側面図である。
【図７】切断ヘッド部と本体ケース上部とを分離状態で示す斜視図である。
【図８】前ケースの上端部とヘッドガイド筒部とを分離状態で示す斜視図である。
【図９】ヘッドガイド筒部の斜視図である。
【図１０】駆動シャーシの分解斜視図である。
【図１１】下部シャーシの斜視図である。
【図１２】駆動シャーシと基台とを分離状態で示す斜視図である。
【図１３】基台の斜視図である。
【図１４】基台の分解斜視図である。
【図１５】基台一部の斜視図である。
【図１６】基台と内刃ホルダを分離状態で示す斜視図である。
【図１７】基台と内刃ホルダをセットした状態で示す斜視図である。
【図１８】内刃ホルダの分解斜視図である。
【図１９】内刃ホルダ一部の斜視図である。
【図２０】内刃ホルダの斜視図である。
【図２１】回転内刃の駆動伝達機構を示す側面図である。
【図２２】内刃ホルダの係合ロック機構を示す縦断正面図である。
【図２３】基台にセットされた内刃ホルダと、外刃ホルダとを分離状態で示す斜視図である。
【図２４】外刃ホルダを一部切欠して示す平面図である。
【図２５】外刃ホルダの縦断側面図である。
【図２６】外刃ホルダの縦断正面図である。
【図２７】外刃ホルダの分解斜視図である。
【図２８】固定くし刃と可動くし刃をセットした状態で示す斜視図である。
【図２９】固定くし刃と可動くし刃をセットした状態で示す断面図である。
【図３０】固定くし刃と可動くし刃を分離した状態で示す斜視図である。
【図３１】固定くし刃と可動くし刃をセットした状態を一部切欠して示す斜視図である。
【図３２】外刃とその取り付け用部品を示す分解斜視図である。
【図３３】外刃ホルダの係合ロック機構を示す平面図である。
【図３４】安全スイッチ機構を示す正面図である。
【図３５】安全スイッチ機構の側面図である。
【図３６】安全スイッチ機構の一部平面図である。
【図３７】安全スイッチ機構の分解斜視図である。
【図３８】中立戻し機構を示す側面図である。
【図３９】きわ剃りユニットの駆動伝達手段を示す平面図である。
【図４０】切断ヘッドの他の組み付け要領を示す斜視図である。
【符号の説明】
１  本体ケース
２  切断ヘッド
３  剃刃ユニット
２３  駆動シャーシ
２６  回転内刃
２７  回転内刃の外刃
３０  可動くし刃
３１  固定くし刃
３５  モータ
３７  出力軸
４５・４６  サイドフレーム
６２  振動子
６６  第１の駆動伝達手段
６８  第２の駆動伝達手段
６９  偏心ピン
７５  回転内刃の軸
７８  入力ギヤ
１２０  溝
【図１】
0004086927.tif 000002
【図２】
0004086927.tif 000003
【図３】
0004086927.tif 000004
【図４】
0004086927.tif 000005
【図５】
0004086927.tif 000006
【図６】
0004086927.tif 000007
【図７】
0004086927.tif 000008
【図８】
0004086927.tif 000009
【図９】
0004086927.tif 000010
【図１０】
0004086927.tif 000011
【図１１】
0004086927.tif 000012
【図１２】
0004086927.tif 000013
【図１３】
0004086927.tif 000014
【図１４】
0004086927.tif 000015
【図１５】
0004086927.tif 000016
【図１６】
0004086927.tif 000017
【図１７】
0004086927.tif 000018
【図１８】
0004086927.tif 000019
【図１９】
0004086927.tif 000020
【図２０】
0004086927.tif 000021
【図２１】
0004086927.tif 000022
【図２２】
0004086927.tif 000023
【図２３】
0004086927.tif 000024
【図２４】
0004086927.tif 000025
【図２５】
0004086927.tif 000026
【図２６】
0004086927.tif 000027
【図２７】
0004086927.tif 000028
【図２８】
0004086927.tif 000029
【図２９】
0004086927.tif 000030
【図３０】
0004086927.tif 000031
【図３１】
0004086927.tif 000032
【図３２】
0004086927.tif 000033
【図３３】
0004086927.tif 000034
【図３４】
0004086927.tif 000035
【図３５】
0004086927.tif 000036
【図３６】
0004086927.tif 000037
【図３７】
0004086927.tif 000038
【図３８】
0004086927.tif 000039
【図３９】
0004086927.tif 000040
【図４０】
0004086927.tif 000041